(57)【要約】【課題】梱包作業時あるいは輸送時等における内部圧力の上昇によっては開封しないが、ガン式ディスペンサのピストンによって押動されて内部圧力が上昇したときには容易に開封する構造の粘性液状物のための袋体を提供する。【解決手段】袋体１００の先端開口２２は封緘部２３によって封緘され、かつチャック３０の帯状ベース片３３，３４は、線状嵌合部３１，３２の基端から袋体１００の先端開口２２の側に第１の距離Ｌ１を開けつつ線状嵌合部に沿って延びる部分が袋体１００の両側面２１ｅ，２１ｆにそれぞれ接合されている。【選択図】図３
2010105698.tif 000002
【特許請求の範囲】
【請求項１】
粘性液状物を充填密封するための袋体であって、
その先端に開口を有した袋状の本体部分と、
前記本体部分の内部空間に粘性液状物を充填密封した後に前記開口を封緘するために前記本体部分の先端に設けられた封緘部と、
前記封緘部から前記内部空間の側に第１の距離を開けつつ前記開口に沿って延びるように前記本体部分の側面に接合された、前記内部空間と前記封緘部の間の部分を密封するチャックと、を備え、
前記チャックは、互いに嵌合する雌雄一対の線状嵌合部と、これらの線状嵌合部を前記本体部分の内面にそれぞれ接合するための一対の帯状ベース片と、を有し、
前記雌雄一対の線状嵌合部は、前記開口側から前記本体部分を拡開してその嵌合を解除するために必要な力よりも前記内部空間側から前記本体部分を拡開してその嵌合を解除するために必要な力の方が大きくなるように構成されており、
かつ前記一対の帯状ベース片は、前記線状嵌合部の基端から前記開口の側に第２の距離を開けつつ前記線状嵌合部に沿って延びる部分が前記本体部分の側面にそれぞれ接合されていることを特徴とする粘性液状物の袋体。
【請求項２】
前記一対の帯状ベース片は、前記線状嵌合部の基端より前記内部空間の側で前記線状嵌合部に沿って延びる部分のうち、その長手方向の中央部に第３の距離にわたって長手方向に延びる部分を除いて前記本体部分の内面にそれぞれ接合されていることを特徴とする請求項１に記載した粘性液状物の袋体。
【請求項３】
前記内部空間内に粘性液状物を充填した後に、前記チャックにより前記内部空間を密封し、次いで前記封緘部を封緘したことを特徴とする請求項１または２に記載した粘性液状物の袋体。
【請求項４】
請求項１に記載した袋体に密封充填されている粘性液状物を、その前端に設けられている押出口から所定量ずつ押し出すためのガン式ディスペンサであって、
前記袋体を収容する筒状の収容部と、
前記収容部に収容された前記袋体を前記押出口に向かって押動するピストンと、
前記ピストンを前記押出口に向かって所定距離ずつ前方に変位させる変位手段と、
前記袋体から押し出された前記粘性液状物の流路の前端を閉鎖する、前記押出口が形成された閉鎖部材と、を備え、
前記収容部は、
前記ピストンによって押動される前記袋体の前記チャック部分のうちその長手方向の両端部を前側から受け止める第１の部分と、
前記チャック部分のうちその長手方向の中央部を受け入れる、前記第１の部分よりも押出方向の前側に位置する中空状の第２の部分とを有している、
ことを特徴とするガン式ディスペンサ。
【発明の詳細な説明】
【技術分野】
【０００１】
本発明は、マヨネーズやケチャップ、からし等の粘性液状物を密封充填するための袋体、およびこの袋体に密封充填されている粘性液状物を所定量ずつ押し出すために用いるガン式ディスペンサに関し、より詳しくは、梱包作業時あるいは輸送時等における内部圧力の上昇によっては開封しないが、ガン式ディスペンサのピストンによって押動されて内部圧力が上昇したときには容易に開封するように改良された袋体およびそれを用いるガン式ディスペンサに関する。
【背景技術】
【０００２】
従来、ハンバーガーやピザ等のファーストフード店あるいはファミリーレストラン等の厨房においては、マヨネーズ、ケチャップ、からし等の各種クリーム類、又はこれらの各種クリーム類に玉ねぎ、パプリカ等の野菜や、ゆで卵の細片、香辛料等を予め調合する等して袋体に密封充填した粘性液状食材（粘性液状物）が重用されている。
そして、このような粘性液状食材を効率的にかつ所定量ずつ取り出すために、本願の出願人は、新しいガン式ディスペンサを開発し先に特許出願している（特願２００６−２０６２８６号）。
【０００３】
このガン式ディスペンサの構造について図１１を参照しつつ概説すると、そのガン本体１は、略半円形断面の湾曲部材２の前後端にそれぞれ環状の端部材３ａ，３ｂを同軸に固定して形成した凹状の保持部４を有している。
そして、この保持部４には、粘性液状食材が密封充填されているパウチＰを収容する円筒状の筒状体５が保持されている。
【０００４】
また、後側の端部材３ａに取り付けられた固定ハンドル６には、前後の端部材３ａ，３ｂと同軸に延びるロッド７が前後動自在に支持されており、かつこのロッド７の先端には筒状体５の内部で前進可能なピストン８が取り付けられている。
これにより、固定ハンドル６と、この固定ハンドル６に支軸９を介して揺動自在に支持されている可動ハンドル１０とを一体に握ると、ロッド７に形成されているラック７ａと可動ハンドル１０とが係合してロッド７およびピストン８が所定距離ずつ前進し、粘性液状食材が密封充填されているパウチＰを前方に向かって押動することができる。
【０００５】
さらに、このガン式ディスペンサの前端には、パウチＰの前端を切開するための切断刃１１と、その中央に開口を有した仕切部材１２と、複数の押出口を有した閉鎖部材１３とが設けられている。
これにより、パウチＰを筒状体５の内部に挿入した後、可動ハンドル１０を操作してピストン８を前進させると、ピストン８によって前方に押動されたパウチＰの前端が切断刃１１に当接して切開され、パウチＰに充填されている粘性液状食材を取り出すための開口が自動的に形成される。
そして、ピストン８をさらに前進させると、パウチＰに充填されている粘性液状食材が前方に押し出され、仕切部材１２の中央開口および閉鎖部材１３の複数の押出口からそれぞれ等しい量ずつ押し出すことができる。
【０００６】
すなわち、このガン式ディスペンサは、粘性液状食材を密封充填する容器として、一般に市販されている安価な袋状の平パウチを用いることができる。
また、パウチＰの前端を切開して開口を形成する切断刃１１を内蔵しているので、筒状体５の内部にパウチＰを挿入する前にパウチＰの前端を開封する作業が不要であり、粘性液状食材がガン式ディスペンサに付着して不衛生になることがない。
【０００７】
一方、食品等を密封充填するためのチャック付袋体が、例えば下記の特許文献１，２に記載されている。
特許文献１に記載されている「合成樹脂製チャック付の袋体」は、流動物を密封充填した袋体の梱包作業時あるいは輸送時等における内部圧力の上昇により、チャックが開脱することを防止するものである。
また、特許文献２に記載されている「チャック付き袋体」は、包装食品を電子レンジや煮沸によって加熱する際に、袋体の内部で膨張する空気や蒸気の圧力によって袋体が破れないように通気孔を介して排気する構造となっている。
【０００８】
【特許文献１】特開平６−９２３６３号公報
【特許文献２】実開平６−２０２５３号公報
【発明の開示】
【発明が解決しようとする課題】
【０００９】
ところで、上述した先願のガン式ディスペンサは、切断刃１１を用いてパウチＰの前端を切開し開封する構造となっているため、このガン式ディスペンサを取り扱う作業員の手指が切断刃１１に触れるおそれがあった。
これにより、切断刃１１を必要としないガン式ディスペンサが望しい。
【００１０】
このとき、ガン式ディスペンサに装着したパウチＰをピストン８によって前方に押動すると、その内部圧力の上昇によってその前端が自動的に開封する構造のパウチＰを考えることができる。
しかしながら、そのような構造のパウチＰでは、梱包作業時あるいは輸送時等における内部圧力の上昇によってその前端が不用意に開封し、粘性液状食材が漏れ出るおそれがある。
【００１１】
そこで本発明の目的は、梱包作業時あるいは輸送時等における内部圧力の上昇によっては開封しないが、ガン式ディスペンサのピストンによって押動されて内部圧力が上昇したときには容易に開封する構造の粘性液状物のための袋体および、この袋体を用いることにより切断刃を必要としないガン式ディスペンサを提供することにある。
【課題を解決するための手段】
【００１２】
上記の課題を解決するための請求項１に記載した手段は、
粘性液状物を充填密封するための袋体であって、
その先端に開口を有した袋状の本体部分と、
前記本体部分の内部空間に粘性液状物を充填密封した後に前記開口を封緘するために前記本体部分の先端に設けられた封緘部と、
前記封緘部から前記内部空間の側に第１の距離を開けつつ前記開口に沿って延びるように前記本体部分の側面に接合された、前記内部空間と前記封緘部の間の部分を密封するチャックと、を備え、
前記チャックは、互いに嵌合する雌雄一対の線状嵌合部と、これらの線状嵌合部を前記本体部分の内面にそれぞれ接合するための一対の帯状ベース片と、を有し、
前記雌雄一対の線状嵌合部は、前記開口側から前記本体部分を拡開してその嵌合を解除するために必要な力よりも前記内部空間側から前記本体部分を拡開してその嵌合を解除するために必要な力の方が大きくなるように構成されており、
かつ前記一対の帯状ベース片は、前記線状嵌合部の基端から前記開口の側に第２の距離を開けつつ前記線状嵌合部に沿って延びる部分が前記本体部分の側面にそれぞれ接合されていることを特徴とする。
【００１３】
すなわち、請求項１に記載した袋体においては、本体部分の内部空間に粘性液状物を充填した後、チャックを用いて内部空間を密封し、さらに封緘部を封緘することによって本体部分の先端開口を拡開不能とする。
これにより、梱包作業時あるいは輸送時等にこの袋体の側面が押圧されてその内部圧力が上昇しても、本体部分の先端開口が拡開することはない。
さらに、本体部分の内部空間を密封しているチャックは、封緘部に対し必要最小限な第１の距離を開けて配設されているから、袋体の内部圧力が上昇しても、開口側から本体部分を拡開してチャックの嵌合を解除しようとする力が作用することはない。
加えて、チャックの線状嵌合部は、開口側から本体部分を拡開してその嵌合を解除するために必要な力よりも内部空間側から本体部分を拡開してその嵌合を解除するために必要な力の方が大きくなるように構成されている。
したがって、本体部分の内部空間の内部圧力が上昇して本体部分が膨満し、内部空間側から本体部分を拡開してその嵌合を解除しようとする力が作用しても、チャックの線状嵌合部が互いに離間してその嵌合が解除されることはなく、粘性液状物を密封した状態に維持することができる。
【００１４】
一方、この袋体から粘性液状物を取り出すときには、封緘部を本体部分から切断して除去することによって本体部分の先端開口を拡開できるようにした後、この袋体をガン式ディスペンサの収容部に収容する。
そして、ガン式ディスペンサのピストンがこの袋体を前方に押動することによってその内部圧力が高まると、本体部分が膨満してその側面同士が互いに離間する。
このとき、内部空間を密封しているチャックの一対の帯状ベース片は、線状嵌合部の基端から開口の側に第２の距離を開けつつ線状嵌合部に沿って延びる部分が本体部分の側面にそれぞれ接合されている。
これにより、本体部分が膨満してその側面同士が互いに離間すると、チャックの線状嵌合部には、開口側から本体部分を拡開してその嵌合を解除しようとする力が作用する。
さらに、本体部分の内部空間を密封しているチャックの線状嵌合部は、内部空間側から本体部分を拡開してその嵌合を解除するために必要な力よりも開口側から本体部分を拡開してその嵌合を解除するために必要な力の方が小さくなるように構成されている。
したがって、本体部分の内部空間の内部圧力が上昇して本体部分が膨満すると、チャックの線状嵌合部が互いに離間してその嵌合が解除されるため、本体部分の開口から粘性液状物を取り出すことができる状態となる。
【００１５】
他方、請求項４に記載したガン式ディスペンサは、
請求項１に記載した袋体に密封充填されている粘性液状物を、その前端に設けられている押出口から所定量ずつ押し出すためのガン式ディスペンサであって、
前記袋体を収容する筒状の収容部と、
前記収容部に収容された前記袋体を前記押出口に向かって押動するピストンと、
前記ピストンを前記押出口に向かって所定距離ずつ前方に変位させる変位手段と、
前記袋体から押し出された前記粘性液状物の流路の前端を閉鎖する、前記押出口が形成された閉鎖部材と、を備え、
前記収容部は、
前記ピストンによって押動される前記袋体の前記チャック部分のうちその長手方向の両端部を前側から受け止める第１の部分と、
前記チャック部分のうちその長手方向の中央部を受け入れる、前記第１の部分よりも押出方向の前側に位置する中空状の第２の部分とを有していることを特徴とする。
【００１６】
すなわち、請求項４に記載したガン式ディスペンサにおいては、ピストンによって押動される袋体のチャック部分のうち、長手方向の両端部は第１の部分に当接してその前方への移動が阻止される。
これに対して、チャック部分の長手方向の中央部は、中空状の第２の部分に受け入れられるため、本体部分が容易に拡開できる状態となる。
これにより、本体部分の内部圧力が上昇して本体部分が膨満すると、開口側から本体部分を拡開してその嵌合を解除しようとする力が作用し、チャックの線状嵌合部が互いに離間してその嵌合が解除されるため、本体部分の開口から粘性液状物を取り出すことができる。
【発明の効果】
【００１７】
本発明によれば、梱包作業時あるいは輸送時等に生じる内部圧力の上昇によっては開封しないが、ガン式ディスペンサのピストンによって押動されて内部圧力が上昇したときには容易に開封する構造の粘性液状物のための袋体、およびこの袋体を用いることにより切断刃を必要としないガン式ディスペンサを提供することができる。
【発明を実施するための最良の形態】
【００１８】
以下、図１〜図１０を参照し、本発明の粘性液状物のための袋体およびそれを用いるガン式ディスペンサの一実施形態について詳細に説明する。
なお、以下の説明においては、前述した従来技術を含めて同一の部分には同一の符号を用いて重複する説明を省略するとともに、粘性液状物を押し出す方向を前方と言う。
【００１９】
まず最初に図１〜図６を参照し、本発明の粘性液状物のための袋体の一実施形態について説明する。
【００２０】
図１に示したように、本実施形態の袋体１００は、その３つの側縁２１ａ，２１ｂ，２１ｃが封止された角封筒状の本体部分２１を備えている。
また、この本体部分２１の先端開口２２には、粘性液状物を充填密封した後に先端開口２２を封緘するための封緘部２３が設けられている。
さらに、封緘部２３から本体部分２１の内部空間２４の側に第１の距離Ｌ１を開けた部分には、内部空間２４を密封するためのチャック３０が先端開口２２に沿って本体部分２１の幅方向に延びるように設けられている。
加えて、本体部分の右側の側縁のうち封緘部２３とチャック３０との間の部分には、封緘部２３を切断して本体部分２１から除去する際の破断の起点となる切り欠き２１ｄが設けられている。
【００２１】
図２に拡大して示したように、チャック３０は、互いに嵌合する雌雄一対の線状嵌合部３１，３２と、雌雄一対の線状嵌合部３１，３２を本体部分２１の内側側面にそれぞれ接合するための一対の帯状ベース片３３，３４と有している。
【００２２】
雌雄一対の線状嵌合部３１，３２は、先端開口２２側が半円形部分３１ａと半球状部分３２ａから形成され、内部空間２４側が鉤状部分３１ｂと鉤状部分３２ｂから構成されている。
これにより、この雌雄一対の線状嵌合部３１，３２は、本体部分２１の両側面２１ｅ，２１ｆのうち先端開口２２側の部分を図示左右方向に拡開してその嵌合を解除するために必要な力よりも、本体部分２１の両側面２１ｅ，２１ｆのうち内部空間２４側の部分を図示左右方向に拡開してその嵌合を解除するために必要な力の方が大きくなるように構成されている。
【００２３】
一対の帯状ベース片３３，３４は、雌雄一対の線状嵌合部３１，３２の基端３１ｃ，３２ｃから先端開口２２の側に第２の距離Ｌ２を開けつつ線状嵌合部３１，３２に沿って本体部分２１の幅方向に延びる部分が、接着あるいは熱溶着等の接合手段３５によって本体部分２１の両側面２１ｅ，２１ｆにそれぞれ接合されている。
【００２４】
このように構成されている袋体１００に粘性液状物を充填して密封する際には、先端開口２２およびチャック３０を開放して粘性液状物を内部空間２４に受け入れる。
次いで、チャック３０を閉鎖して粘性液状物を内部空間２４を密封した後、先端開口２２の封緘部２３を封緘することによって本体部分の先端開口２２を拡開不能とする。
これにより、梱包作業時あるいは輸送時等に袋体１００の両側面２１ｅ，２１ｆが押圧されてその内部空間２４の内部圧力が上昇しても、先端開口２２が拡開することはない。
【００２５】
さらに、本体部分２１の内部空間２４を密封しているチャック３０は、封緘部２３に対し必要最小限な第１の距離Ｌ１を開けて配設されているから、内部空間２４の内部圧力が上昇しても、先端開口２２の側から本体部分２１の両側面２１ｅ，２１ｆを拡開して線状嵌合部３１，３２の嵌合を解除しようとする力が作用することはない。
【００２６】
加えて、チャック３０の線状嵌合部３１，３２は、先端開口２２側から本体部分２１の両側面２１ｅ，２１ｆを拡開してその嵌合を解除するために必要な力よりも、内部空間２４側から本体部分２１の両側面２１ｅ，２１ｆを拡開してその嵌合を解除するために必要な力の方が大きくなるように構成されている。
したがって、内部空間２４の内部圧力が上昇して本体部分２１が膨満し、内部空間２４側から本体部分の両側面２１ｅ，２１ｆを拡開してその嵌合を解除しようとする力が作用しても、チャックの線状嵌合部３１，３２が互いに離間してその嵌合が解除されることはなく、粘性液状物を内部空間２４に密封した状態を維持することができる。
【００２７】
一方、この袋体１００から粘性液状物を取り出すときには、図３に示したように、本体部分２１から封緘部２３を切断して除去することにより、本体部分２１の先端開口２２を拡開できるようにした後、この袋体１００を後述するガン式ディスペンサ２００の収容部に収容する。
そして、ガン式ディスペンサ２００のピストン８がこの袋体１００を前方に押動して内部空間２４の内部圧力が高まると、図４に示したように本体部分２１が膨満してその両側面２１ｅ，２１ｆが互いに離間する。
【００２８】
このとき、チャック３０の一対の帯状ベース片３３，３４は、図２に示したように、線状嵌合部３１，３２の基端３１ｃ，３２ｃから先端開口２２の側に第２の距離Ｌ２を開けつつ線状嵌合部３１，３２に沿って延びる部分が、接合手段３５，３５によって本体部分２１の両側面２１ｅ，２１ｆにそれぞれ接合されている。
これにより、図４に示したように、本体部分２１が膨満してその両側面２１ｅ，２１ｆが互いに離間すると、チャック３０の線状嵌合部３１，３２には、先端開口２２の側から本体部分２１を拡開してその嵌合を解除しようとする力（矢印Ａ）が作用する。
【００２９】
さらに、本体部分２１の内部空間２４を密封しているチャック３０の線状嵌合部３１，３２は、内部空間２４側から本体部分２１を拡開してその嵌合を解除するために必要な力よりも、先端開口２２側から本体部分２１を拡開してその嵌合を解除するために必要な力の方が小さくなるように構成されている。
したがって、本体部分２１の内部空間２４の内部圧力が上昇して本体部分２１が膨満すると、図５に示したように、チャック３０の線状嵌合部３１，３２が互いに離間してその嵌合が解除されるため、本体部分２１の先端開口２２から粘性液状物を取り出すことができる状態となる。
【００３０】
これに対して、図６に示したように、チャック３０の一対の帯状ベース片３３，３４の全体を接合手段３６によって本体部分２１の両側面２１ｅ，２１ｆにそれぞれ接合した場合には、一対の帯状ベース片３３，３４が本体部分２１の両側面２１ｅ，２１ｆと一体に変位する。
これにより、本体部分２１が膨満してその両側面２１ｅ，２１ｆが互いに離間すると、チャック３０の線状嵌合部３１，３２には、内部空間２４の側から本体部分２１を拡開してその嵌合を解除しようとする力（矢印Ｂ）が作用する。
【００３１】
しかしながら、前述したように、チャック３０の線状嵌合部３１，３２は、先端開口２２側から本体部分２１の両側面２１ｅ，２１ｆを拡開してその嵌合を解除するために必要な力よりも、内部空間２４側から本体部分２１の両側面２１ｅ，２１ｆを拡開してその嵌合を解除するために必要な力の方が大きくなるように構成されている。
これにより、チャック３０の線状嵌合部３１，３２が互いに離間してその嵌合が解除されることはなく、本体部分２１の先端開口２２から粘性液状物を取り出すことができる状態には至らない。
【００３２】
なお、本実施形態の袋体１００における上述した作用効果を高めるためには、特に粘性液状物の粘度が３０Ｐａ・ｓ以上であるときに、第１の距離Ｌ１を２０ミリメートル以下、好ましくは１５ミリメートル以下とする。
これにより、梱包作業時あるいは輸送時等に生じる内部空間２４の内部圧力の上昇によって、チャック３０の線状嵌合部３１，３２の分離を防止して、粘性液状物を密封状態に維持することができる。
【００３３】
また、第２の距離Ｌ２を１ミリメートル以上、好ましくは２ミリメートル以上、より好ましくは３ミリメートル以上とする。
これにより、ガン式ディスペンサのピストンによって袋体１００を押動したときに、袋体１００を確実に開封し、密封充填されている粘性液状物を取り出すことができる。
【００３４】
変形例
次に図７および図８を参照し、変形例の袋体１１０について説明する。
【００３５】
この変形例の袋体１１０は、チャック３０の一対の帯状ベース片３３，３４の本体部分２１の両側面２１ｅ，２１ｆに対する接合方法を変更したものであり、それ以外の部分は同一の構造となっている。
具体的に説明すると、図７および図８に示したように、チャック３０の一対の帯状ベース片３３，３４のうち、線状嵌合部３１，３２の基端３１ｃ，３２ｃより内部空間２４の側で線状嵌合部３１，３２に沿って延びる部分が、その長手方向の中央部に第３の距離Ｌ３にわたって長手方向に延びる部分を除いて、本体部分２１の両側面２１ｅ，２１ｆにそれぞれ接合されている。
【００３６】
これにより、この袋体１１０のうち、第３の距離Ｌ３の範囲における断面形状は図１〜図５に示した袋体１００と全く同一であり、その作用効果もまた同一である。
しかしながら、第３の距離Ｌ３の範囲以外の部分においては、一対の帯状ベース片３３，３４のうち内部空間２４の側の端部が、接着剤や熱溶着等の接合手段３７によって本体部分２１の両側面２１ｅ，２１ｆにそれぞれ接合されている。
これにより、本体部分２１に対するチャック３０の接合強度を高めることができる。
なお、図１〜図５に示した袋体１００と同一の作用効果を得るために、第３の距離Ｌ３の値を２０ミリメートル以上、好ましくは３０ミリメートル以上とする。
【００３７】
次に図９および図１０を参照し、上述した袋体１００，１１０を用いるガン式ディペンサの一実施形態について説明する。
【００３８】
図９および図１０に示したガン式ディスペンサ２００は、図１１に示した先願のガン式ディスペンサに対し、袋体１００，１１０（パウチＰ）の先端を切開する切断刃１１を取り除くとともに、袋体１００，１１０を収容する部分の前端部分の構造を変更したものであり、それ以外の部分の構造は同一となっている。
【００３９】
具体的に説明すると、袋体１００，１１０を収容する部分は、円筒状の筒状体５と、この筒状体５の前端開口を閉鎖するキャップ１４とから構成されている。
そして、キャップ１４には、ピストン８によって押動される袋体１００，１１０のチャック３０のうちその長手方向の両端部を前側から受け止める環状平面（第１の部分）１４ａと、チャック３０のうちその長手方向の中央部を受け入れる、環状平面１４ａよりも押出方向の前側に位置する中空部分（第２の部分）１４ｂとを有している。
【００４０】
これにより、ピストン８によって押動される袋体１００，１１０のチャック３０のうち、長手方向の両端部は環状平面１４ａに当接して前方への移動が阻止される。
これに対して、チャック３０の長手方向の中央部は、中空部分１４ｂに受け入れられるため、本体部分２１の先端開口２２が容易に拡開できる状態となる。
これにより、本体部分２１の内部圧力が上昇して本体部分２１が膨満すると、先端開口２２の側から本体部分２１を拡開してチャック３０の嵌合を解除しようとする力が作用し、チャック３０の線状嵌合部３１，３２が互いに離間してその嵌合が解除されるため、本体部分の開口から粘性液状物を取り出すことができる状態となる。
したがって、このガン式ディスペンサ２００においては、袋体１００，１１０の先端を切開して開封する切断刃を用いる必要がない。
【００４１】
また、ピストン８によって袋体１００，１１０から押し出された粘性液状物は、中空部分１４ｂに滞留した後、仕切部材１２の中央に設けられている連通孔１２ａを介して閉鎖部材１３の側の滞留部Ｓに順次移動する。
そして、滞留部Ｓに滞留して充満している粘性液状物は、ピストン８による袋体１００，１１０の押動に伴ってその内部の圧力が高まる毎に、図９中に矢印Ｃで示したように、閉鎖部材１３に設けられている複数の押出口１３ａからそれぞれ等しい分量でかつ同時に押し出される。
【００４２】
以上、本発明に係る粘性液状物のための袋体およびそれを用いるガン式ディスペンサの一実施形態について詳しく説明したが、本発明は上述した実施形態によって限定されるものではなく、種々の変更が可能であることは言うまでもない。
例えば、図２〜図５に示した袋体１００のチャック３０の一対の帯状ベース片３３，３４は、雌雄一対の線状嵌合部３１，３２の基端３１ｃ，３２ｃから内部空間２４の側に延びている部分を省略することもできる。
また、図２〜図５に示した袋体１００においては、チャック３０の一対の帯状ベース片３３，３４に１組の雌雄一対の線状嵌合部３１，３２が設けられているが、２組の雌雄一対の線状嵌合部３１，３２を間隔を開けて並設することもできる。
さらに、前述したガン式ディスペンサ２００は、図８および図９に示したように仕切部材１２を備えているが、このような仕切部材１２を設けないこともできる。
【図面の簡単な説明】
【００４３】
【図１】本発明の袋体の一実施形態を模式的に示す正面図。
【図２】図１中に示したII−II破断線に沿った断面図。
【図３】封緘部を除去した状態で示す袋体の断面図。
【図４】図３に示した袋体をピストンで押動したときの状態を示す断面図。
【図５】図３に示した袋体を開封した状態で示す断面図。
【図６】従来の袋体をピストンで押動したときの状態を示す断面図。
【図７】変形例の袋体を示す正面図。
【図８】図７中に示したVIII−VIII破断線に沿った断面図。
【図９】本発明のガン式ディスペンサの要部を示す断面図。
【図１０】図９に示したガン式ディスペンサの要部を分解して示す斜視図。
【図１１】先願のガン式ディスペンサを示す要部断面側面図。
【符号の説明】
【００４４】
Ｐ  パウチ
１  ガン本体
８  ピストン
１２  仕切部材
１３  閉鎖部材
１４  キャップ
１４ａ  環状平面（第１の部分）
１４ｂ  中空部分（第２の部分）
２１  本体部分
２２  先端開口
２３  封緘部
２４  内部空間
３０  チャック
３１，３２  線状嵌合部
３３，３４  帯状ベース片
３５，３６，３７  接合手段
１００  本発明の袋体
１１０  変形例の袋体
２００  本発明のガン式ディスペンサ
【図１】
2010105698.tif 000003
【図２】
2010105698.tif 000004
【図３】
2010105698.tif 000005
【図４】
2010105698.tif 000006
【図５】
2010105698.tif 000007
【図６】
2010105698.tif 000008
【図７】
2010105698.tif 000009
【図８】
2010105698.tif 000010
【図９】
2010105698.tif 000011
【図１０】
2010105698.tif 000012
【図１１】
2010105698.tif 000013